(57)【要約】【課題】  水平方向の移動を含む動画像の動画ボケを改善する。【解決手段】  駆動画像データ生成部は、駆動画像データとして、画像表示装置で表示される画像の偶数番目の垂直ラインが黒色の画像を表す黒画像データで、奇数番目の垂直ラインが読出画像データである第１の駆動画像データと、画像表示装置で表示される画像の奇数番目の垂直ラインが前記黒画像データで、偶数番目の垂直ラインが前記読出画像データである第２の駆動画像データとを生成する。【選択図】        図２
2006126711.tif 000002
【特許請求の範囲】
【請求項１】
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データの一部を黒色の画像を表す黒画像データに置き換えて前記駆動画像データを生成する駆動画像データ生成部と、を備え、
前記駆動画像データ生成部は、前記画像表示装置で表示される画像のｍ本（ｍは１以上の整数）の垂直ラインごとに、前記読出画像データと前記黒画像データとが交互配置された駆動画像データであって、前記読出画像データと前記黒画像データとの配置順が互いに異なる第１と第２の駆動画像データを生成することを特徴とする画像データ処理装置。
【請求項２】
ｍ＝１であることを特徴とする請求項１記載の画像データ処理装置。
【請求項３】
請求項１または請求項２記載の画像データ処理装置であって、
前記駆動画像データ生成部は、前記画像表示装置で表示される画像の単位で、前記第１の駆動画像データと前記第２の駆動画像データとを交互に生成することを特徴とする画像データ処理装置。
【請求項４】
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データの一部を黒色の画像を表す黒画像データに置き換えて前記駆動画像データを生成する駆動画像データ生成部と、を備え、
前記駆動画像データ生成部は、前記画像表示装置で表示される画像の水平方向にｐ画素（ｐは１以上の整数）で垂直方向にｑ画素（ｑは１以上の整数）のブロック単位で、前記水平方向および前記垂直方向に前記読出画像データと前記黒画像データとが交互に配置された駆動画像データであって、前記読出画像データと前記黒画像データとの配置順が互いに異なる第１と第２の駆動画像データを生成することを特徴とする画像データ処理装置。
【請求項５】
ｐ＝ｑ＝１であることを特徴とする請求項４記載の画像データ処理装置。
【請求項６】
請求項４または請求項５記載の画像データ処理装置であって、
前記駆動画像データ生成部は、前記画像表示装置で表示される画像の単位で、前記第１の駆動画像データと前記第２の駆動画像データとを交互に生成することを特徴とする画像データ処理装置。
【請求項７】
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データの一部を黒色の画像を表す黒画像データに置き換えて前記駆動画像データを生成する駆動画像データ生成部と、を備え、
前記駆動画像データ生成部は、前記画像表示装置で表示される画像の、各水平ラインに並ぶｒ個（ｒは３以上の整数）の画素につき連続するｓ個（ｓはｒの約数）の画素に前記黒画像データが配置されるとともに、前記ｒ個の画素に対する前記ｓ個の画素の位置はｔ本（ｔは１以上の整数）の前記水平ラインごとに交互にずれた位置とされる駆動画像データであって、前記黒画像データの配置位置が互いに異なる第１ないし第（ｒ／ｓ）の駆動画像データを生成することを特徴とする画像データ処理装置。
【請求項８】
請求項７記載の画像データ処理装置であって、
前記駆動画像データ生成部は、前記画像表示装置で表示される画像の単位で、前記第１ないし第（ｒ／ｓ）の駆動画像データを順に生成することを特徴とする画像データ処理装置。
【請求項９】
請求項１ないし請求項８のいずれかに記載の画像データ処理装置であって、
前記読出画像データは、前記複数フレームの入力画像データが入力されるフレームレートと同じレートで前記画像メモリから読み出されることを特徴とする画像データ処理装置。
【請求項１０】
請求項１ないし請求項８のいずれかに記載の画像データ処理装置であって、
前記読出画像データは、前記複数フレームの入力画像データが入力されるフレームレートの複数倍のレートで前記画像メモリから読み出されることを特徴とする画像データ処理装置。
【請求項１１】
請求項１ないし請求項１０のいずれかに記載の画像データ処理装置と、前記画像表示装置とを備える画像表示システム。
【請求項１２】
画像表示装置を駆動するための駆動画像データを生成する画像データ処理方法であって、
複数フレームの入力画像データを画像メモリへ順次書き込む工程と、
前記画像メモリに順次書き込まれる前記入力画像データごとに、前記入力画像データを順次読み出す工程と、
前記画像メモリから順次読み出された読出画像データの一部を黒色の画像を表す黒画像データに置き換えて前記駆動画像データを生成する工程と、を備え、
前記駆動画像データを生成する工程は、前記画像表示装置で表示される画像のｍ本（ｍは１以上の整数）の垂直ラインごとに、前記読出画像データと前記黒画像データとが交互配置された駆動画像データであって、前記読出画像データと前記黒画像データとの配置順が互いに異なる第１と第２の駆動画像データを生成することを特徴とする画像データ処理方法。
【請求項１３】
画像表示装置を駆動するための駆動画像データを生成する画像データ処理方法であって、
複数フレームの入力画像データを画像メモリへ順次書き込む工程と、
前記画像メモリに順次書き込まれる前記入力画像データごとに、前記入力画像データを順次読み出す工程と、
前記画像メモリから順次読み出された読出画像データの一部を黒色の画像を表す黒画像データに置き換えて前記駆動画像データを生成する工程と、を備え、
前記駆動画像データを生成する工程は、前記画像表示装置で表示される画像の水平方向にｐ画素（ｐは１以上の整数）で垂直方向にｑ画素（ｑは１以上の整数）のブロック単位で、前記水平方向および前記垂直方向に前記読出画像データと前記黒画像データとが交互に配置された駆動画像データであって、前記読出画像データと前記黒画像データとの配置順が互いに異なる第１と第２の駆動画像データを生成することを特徴とする画像データ処理方法。
【請求項１４】
画像表示装置を駆動するための駆動画像データを生成する画像データ処理方法であって、
複数フレームの入力画像データを画像メモリへ順次書き込む工程と、
前記画像メモリに順次書き込まれる前記入力画像データごとに、前記入力画像データを順次読み出す工程と、
前記画像メモリから順次読み出された読出画像データの一部を黒色の画像を表す黒画像データに置き換えて前記駆動画像データを生成する工程と、を備え、
前記駆動画像データを生成する工程は、前記画像表示装置で表示される画像の、各水平ラインに並ぶｒ個（ｒは３以上の整数）の画素につき連続するｓ個（ｓはｒの約数）の画素に前記黒画像データが配置されるとともに、前記ｒ個の画素に対する前記ｓ個の画素の位置はｔ本（ｔは１以上の整数）の前記水平ラインごとに交互にずれた位置とされる駆動画像データであって、前記黒画像データの配置位置が互いに異なる第１ないし第（ｒ／ｓ）の駆動画像データを生成することを特徴とする画像データ処理方法。
【発明の詳細な説明】
【技術分野】
【０００１】
この発明は、液晶表示装置に代表される蓄積型表示装置における動画像のボケを改善する信号処理技術に関する。
【背景技術】
【０００２】
液晶パネルを用いた液晶表示装置の普及が進んでいる。この液晶表示装置は、各画素が蓄積型の表示素子で構成される表示装置(以下、「蓄積型表示装置」と呼ぶ)である。蓄積型表示装置は、信号周波数の高域での応答特性が低下する低域通過型の時間周波数特性を有しているため、例えば、液晶表示装置で動画像を表示する場合、動画像中の物体の移動速度に応じて画像にボケ(以下、「動画像のボケ」あるいは「動画ボケ」と呼ぶ)が発生するという問題がある。また、蓄積型表示装置で動画像を表示する場合、人間の目が蓄積型表示装置上を動く物体を観測した際に網膜上に残像が起こることにより、動画像のボケが発生するという問題がある。
【０００３】
この問題を解決する手法として、例えば、下記の特許文献１に記載したものが知られている。
【０００４】
【特許文献１】特開２００２−１３２２２０号公報
【０００５】
上記手法では、フレームメモリに順次格納される各フレームの原画像の画像データを、各フレーム周期の２倍速で２回読み出すことにより、それぞれ第１フィールドおよび第２フィールドの２つの映像信号を生成し、第１フィールドの映像信号による画像の表示と第２フィールドの映像信号による画像の表示とにより、各フレームの原画像に対応する画像を表示している。また、第１フィールドでは、複数の水平ラインのうち偶数番目の水平ラインの画像データを黒色の画像データ（黒画像データ）に置き換えた映像信号を生成し、生成した第１フィールドの映像信号に対応する画像を表示する。一方、第２フィールドでは、奇数番目の水平ラインの画像データを黒画像データに置き換えた映像信号を生成し、生成した第２フィールドの映像信号に対応する画像を表示している。このようにして表示される画像のある水平ラインについて着目すると、その水平ライン中の各画素では、あるフィールドにおいて本来の画像データの表す画像を表示する場合に、その前のフィールドにおいて必ず黒画像を表示させることになる。これにより、その水平ライン中の各画素を、先に表示していた画像に対応する状態から、一旦黒画像を表示する状態にリセットしてから、次の画像を表示させることができるので、先に表示していた状態の影響をキャンセルすることができ、動画ボケを改善することができる。
【発明の開示】
【発明が解決しようとする課題】
【０００６】
しかしながら、上記手法の場合、垂直方向の移動を含む動画像の場合に比べて、水平方向の移動を含む動画像に対して十分な動画ボケの改善効果がえられない場合があった。
【０００７】
この発明は、従来技術における上述の課題を解決するためになされたものであり、上述した液晶表示装置のような蓄積型表示装置で発生する動画ボケを改善する技術、特に水平方向の移動を含む動画像の動画ボケを改善する技術を提供することを目的とする。
【課題を解決するための手段】
【０００８】
上記目的の少なくとも一部を達成するために、本発明の第１の画像データ処理装置は、
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データの一部を黒色の画像を表す黒画像データに置き換えて前記駆動画像データを生成する駆動画像データ生成部と、を備え、
前記駆動画像データ生成部は、前記画像表示装置で表示される画像のｍ本（ｍは１以上の整数）の垂直ラインごとに、前記読出画像データと前記黒画像データとが交互に配置された駆動画像データであって、前記読出画像データと前記黒画像データとの配置順が互いに異なる第１と第２の駆動画像データを生成することを特徴とする。
【０００９】
上記第１の画像データ処理装置によれば、画像表示装置の黒画像データが入力される画素では、黒画像データの表す画像（黒画像）が表示された後に新たな読出画像データの表す画像が表示される。このため、黒画像が表示される前に表示されていた画像の影響を、黒画像を表示することによりキャンセルした後で、新たな読出画像データの表す画像を表示することができるので、動画ボケを改善することができる。特に、駆動画像データの表す画像のｍ本の垂直ライン単位で読出画像データと黒画像データとが交互に含まれる第１と第２の駆動画像データが生成されるので、水平方向の移動を含む動画像に対して動画ボケをより効果的に改善することができる。特に、ｍ＝１とすれば最も効果的である。
【００１０】
さらに、前記駆動画像データ生成部は、前記画像表示装置で表示される画像の単位で、前記第１の駆動画像データと前記第２の駆動画像データとを交互に生成することが好ましい。
【００１１】
上記のようにすれば、画像表示装置の各画素において、黒画像データの表す画像と読出画像データの表す画像とが、表示される画像の単位で交互に表示されることになるため、さらに効果的に動画ボケを改善することができる。
【００１２】
本発明の第２の画像データ処理装置は、
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データの一部を黒色の画像を表す黒画像データに置き換えて前記駆動画像データを生成する駆動画像データ生成部と、を備え、
前記駆動画像データ生成部は、前記画像表示装置で表示される画像の水平方向にｐ画素（ｐは１以上の整数）で垂直方向にｑ画素（ｑは１以上の整数）のブロック単位で、前記水平方向および前記垂直方向に前記読出画像データと前記黒画像データとが交互に配置された駆動画像データであって、前記読出画像データと前記黒画像データとの配置順が互いに異なる第１と第２の駆動画像データを生成することを特徴とする。
【００１３】
上記第２の画像データ処理装置によれば、水平方向だけでなく垂直方向の移動を含む動画像に対しても動画ボケを効果的に改善することができる。特に、ｐ＝ｑ＝１とすれば最も効果的である。
【００１４】
さらに、前記駆動画像データ生成部は、前記画像表示装置で表示される画像の単位で、前記第１の駆動画像データと前記第２の駆動画像データとを交互に生成することが好ましい。
【００１５】
上記のようにすれば、画像表示装置の各画素において、黒画像データの表す画像と読出画像データの表す画像とが、表示される画像の単位で交互に表示されることになるため、さらに効果的に動画ボケを改善することができる。
【００１６】
本発明の第３の画像データ処理装置は、
画像表示装置を駆動するための駆動画像データを生成する画像データ処理装置であって、
入力される複数フレームの入力画像データを順次記憶する画像メモリと、
前記画像メモリへの書き込みを制御する書込制御部と、
前記画像メモリからの読み出しを制御する読出制御部と、
前記画像メモリから順次読み出された読出画像データの一部を黒色の画像を表す黒画像データに置き換えて前記駆動画像データを生成する駆動画像データ生成部と、を備え、
前記駆動画像データ生成部は、前記画像表示装置で表示される画像の、各水平ラインに並ぶｒ個（ｒは３以上の整数）の画素につき連続するｓ個（ｓはｒの約数）の画素に前記黒画像データが配置されるとともに、前記ｒ個の画素に対する前記ｓ個の画素の位置はｔ本（ｔは１以上の整数）の前記水平ラインごとに交互にずれた位置とされる駆動画像データであって、前記黒画像データの配置位置が互いに異なる第１ないし第（ｒ／ｓ）の駆動画像データを生成することを特徴とする。
【００１７】
上記第３の画像データ処理装置によっても、水平方向だけでなく垂直方向の移動を含む動画像に対しても動画ボケを効果的に改善することができる。
【００１８】
さらに、前記駆動画像データ生成部は、前記画像表示装置で表示される画像の単位で、前記第１ないし第（ｒ／ｓ）の駆動画像データを順に生成することが好ましい。
【００１９】
上記のようにすれば、画像表示装置の各画素において、画像表示装置の各画素において、第１ないし第（ｒ／ｓ）の駆動画像データが生成される（ｒ／ｓ）回に１回の割合で、黒画像データの表す画像が繰り返し表示されることになるため、さらに効果的に動画ボケを改善することができる。
【００２０】
なお、上記各画像データ処理装置において、前記読出画像データは、前記複数フレームの入力画像データが入力されるフレームレートと同じレートで前記画像メモリから読み出されるようにすることができる。
【００２１】
また、上記各画像データ処理装置において、前記読出画像データは、前記複数フレームの入力画像データが入力されるフレームレートの複数倍のレートで前記画像メモリから読み出されるようにすることもできる。
【００２２】
画像メモリに書き込まれている画像データを、フレームレートの複数倍のレートで画像メモリから読み出すようにすれば、フリッカを抑制して効果的に駆動画像データを生成することができる。
【００２３】
また、上記画像データ処理装置を用いて画像表示システムを構成することができる。
【００２４】
なお、本発明は、上記した画像データ処理装置や画像表示システムなどの装置発明の態様に限ることなく、画像データ処理方法などの方法発明としての態様で実現することも可能である。さらに、方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００２５】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ／ＲＡＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００２６】
以下、本発明の実施の形態を実施例に基づいて以下の順序で説明する。
Ａ．第１実施例：
Ａ１．画像表示システムの全体構成：
Ａ２．駆動画像データ生成部の構成および動作
Ａ３．実施例の効果：
Ａ４．駆動画像データ生成動作の変形例：
Ｂ．第２実施例：
Ｃ．変形例：
【００２７】
Ａ．第１実施例：
Ａ１．画像表示システムの全体構成：
図１は、この発明の第１実施例としての画像データ処理装置を適用した画像表示システムの構成を示すブロック図である。この画像表示システムＤＰ１は、画像データ処理装置としての信号変換部１０と、フレームメモリ２０と、メモリ書込制御部３０と、メモリ読出制御部４０と、駆動画像データ生成部５０と、液晶パネル駆動部７０と、ＣＰＵ８０と、メモリ９０と、画像表示装置としての液晶パネル１００と、を備えるコンピュータシステムである。なお、この画像表示システムＤＰ１は、一般的なコンピュータシステムに備える外部記憶装置やインタフェース等の種々の周辺装置を備えているが、ここでは図示を省略している。
【００２８】
また、画像表示システムＤＰ１はプロジェクタであり、光源ユニット１１０から射出された照明光を、液晶パネル１００によって画像を表す光（画像光）に変換し、この画像光を投写光学系１２０を用いて投写スクリーンＳＣ上で結像させることにより、投写スクリーンＳＣ上に画像を投写する。なお、液晶パネル駆動部７０は、画像データ処理装置ではなく、液晶パネル１００とともに画像表示装置に含まれるブロックとみることもできる。
【００２９】
ＣＰＵ８０は、メモリ９０に記憶されている制御プログラムや処理の条件を読み込んで実行することにより、各ブロックの動作を制御する。
【００３０】
信号変換部１０は、外部から入力される映像信号を、メモリ書込制御部３０で処理可能な信号に変換するための処理回路である。例えば、アナログの映像信号の場合には、映像信号に含まれている同期信号に同期して、ディジタルの映像信号に変換する。
【００３１】
メモリ書込制御部３０は、信号変換部１０から出力されたディジタルの映像信号に含まれている各フレームの画像データを、その映像信号に対応する書き込み用の同期信号ＷＳＮＫに同期して、順にフレームメモリ２０に書き込む。なお、書込用同期信号ＷＳＮＫには、書込垂直同期信号や書込水平同期信号、書込クロック信号が含まれている。
【００３２】
メモリ読出制御部４０は、ＣＰＵ８０を介してメモリ９０から与えられる読出制御条件に基づいて読み出し用の同期信号ＲＳＮＫを生成するとともに、この読出同期信号ＲＳＮＫに同期して、フレームメモリ２０に記憶された画像データを読み出す。そして、メモリ読出制御部４０は、読出画像データ信号ＲＶＤＳおよび読出同期信号ＲＳＮＫを駆動画像データ生成部５０に向けて出力する。なお、読出同期信号ＲＳＮＫには、読出垂直同期信号や読出水平同期信号、読出クロック信号が含まれている。また、読出垂直同期信号の周期は、フレームメモリ２０に書き込まれる映像信号の書込垂直同期信号の周期（フレーム周期）の２倍速に設定されており、メモリ読出制御部４０は、フレームメモリ２０に記憶された画像データを、１フレーム周期の間に２回読み出して、駆動画像データ生成部５０に向けて出力する。
【００３３】
駆動画像データ生成部５０は、メモリ読出制御部４０から供給される読出画像データ信号ＲＶＤＳおよび読出同期信号ＲＳＮＫに基づいて、液晶パネル駆動部７０を介して液晶パネル１００を駆動するための駆動画像データ信号ＤＶＤＳを生成し、生成した駆動画像データ信号ＤＶＤＳを液晶パネル駆動部７０に向けて出力する。
【００３４】
液晶パネル駆動部７０は、駆動画像データ生成部５０から供給された駆動画像データ信号ＤＶＤＳを液晶パネル１００に供給可能な信号に変換して液晶パネル１００に供給する。
【００３５】
液晶パネル１００は、供給された駆動画像データ信号に対応する画像を表す画像光を射出する。これにより、上記したように、液晶パネル１００から射出された画像光の表す画像が投写スクリーンＳＣ上に投写表示される。
【００３６】
Ａ２．駆動画像データ生成部の構成および動作：
図２は、駆動画像データ生成部５０の構成の一例を示す概略ブロック図である。駆動画像データ生成部５０は、駆動画像データ生成制御部５１０と、第１のラッチ部５２０と、黒データ生成部５３０と、第２のラッチ部５４０と、マルチプレクサ（ＭＰＸ）５５０と、を備えている。
【００３７】
駆動画像データ生成制御部５１０は、メモリ読出制御部４０から供給された読出同期信号ＲＳＮＫに含まれている読出垂直同期信号ＶＳ、読出水平同期信号ＨＳ、読出クロックＤＣＫ、および、フィールド選択信号ＦＩＥＬＤに基づいて、第１のラッチ部５２０および第２のラッチ部５４０の動作を制御するラッチ信号ＬＴＳと、マルチプレクサ５５０の動作を制御する選択制御信号ＭＸＳを出力し、駆動画像データ信号ＤＶＤＳの生成を制御する。なお、フィールド選択信号ＦＩＥＬＤは、フレームメモリ２０から２倍速で読出された読出画像データ信号ＲＶＤＳが、第１フィールドの読出画像データ信号であるか第２フィールドの読出画像データ信号であるか区別するための信号である。
【００３８】
第１のラッチ部５２０は、メモリ読出制御部４０から供給された読出画像データ信号ＲＶＤＳを、駆動画像データ生成制御部５１０から供給されたラッチ信号ＬＴＳに従って順次ラッチし、ラッチ後の読出画像データを読出画像データ信号ＲＶＤＳ１として第２のラッチ部５４０に出力する。
【００３９】
黒データ生成部５３０は、黒色の画像を表す黒データ（黒画像データ）を生成し、黒データ信号ＢＤＳ１として第２のラッチ部５４０に出力する。
【００４０】
第２のラッチ部５４０は、第１のラッチ部５２０から出力された読出画像データ信号ＲＶＤＳ１および黒データ生成部５３０から出力された黒データ信号ＢＤＳ１を、ラッチ信号ＬＴＳに従って順次ラッチし、ラッチ後の読出画像データを読出画像データ信号ＲＶＤＳ２として、また、ラッチ後の黒データを黒データ信号ＢＤＳ２としてマルチプレクサ５５０に出力する。
【００４１】
マルチプレクサ５５０は、読出画像データ信号ＲＶＤＳ２と黒データ信号ＢＤＳ２の一方を、駆動画像データ生成制御部５１０から出力される選択制御信号ＭＸＳに従って選択することによって、駆動画像データ信号ＤＶＤＳを生成し、液晶パネル駆動部７０に出力する。
【００４２】
選択制御信号ＭＸＳは、フィールド信号ＦＩＥＬＤと、読出垂直同期信号ＶＳと、読出水平同期信号ＨＳと、読出クロックＤＣＫとに基づいて、黒データに置き換えられる読出画像データに対応するタイミングで黒データを選択する信号が生成される。なお、この選択制御信号ＭＸＳ信号タイミングについては後述する。
【００４３】
図３は、生成される駆動画像データについて示す説明図である。図３（ａ）に示すように、各フレームのフレーム画像データは、一定の周期（フレーム周期）Ｔｆｒの間にメモリ書込制御部３０（図１）によって、フレームメモリ２０に格納される。図３（ａ）は、Ｎフレーム（Ｎは１以上の整数）のフレーム画像データＦＲ（Ｎ）と、（Ｎ＋１）フレームのフレーム画像データＦＲ（Ｎ＋１）が順にフレームメモリ２０に格納される場合を例に示している。
【００４４】
そして、図３（ｂ）に示すように、メモリ読出制御部４０（図１）によって、フレームメモリ２０に格納されているフレーム画像データが、フレーム周期Ｔｆｒの２倍速の周期（フィールド周期）Ｔｆｉで２回読み出されて、第１フィールドに対応する読出画像データＦＩ１および第２フィールドに対応する読出画像データＦＩ２として順に出力される。図３（ｂ）は、Ｎフレームにおける第１フィールドの読出画像データＦＩ１（Ｎ）および第２フィールドの読出画像データＦＩ２（Ｎ）と、（Ｎ＋１）フレームにおける第１フィールドの読出画像データＦＩ１（Ｎ＋１）および第２フィールドの読出画像データＦＩ２（Ｎ＋１）が順に出力される場合を例に示している。
【００４５】
そして、図３（ｃ）に示すように、駆動画像データ生成部５０では、第１フィールドの読出画像データＦＩ１に対して、偶数番目の垂直ライン（２，４，６，８，...）を形成する画素（２，４，６，８，...：Ｅｖｅｎ  Ｐｉｘｅｌ）を黒データ（クロスハッチで示される領域）に置き換えた第１の駆動画像データが生成される。また、第２フィールドの読出画像データＦＩ２に対して、奇数番目の垂直ライン（１，３，５，７，...）を形成する画素（１，３，５，７，...：Ｏｄｄ  Ｐｉｘｅｌ）を黒データに置き換えた第２の駆動画像データが生成される。
【００４６】
なお、第１フィールドの読出画像データＦＩ１の奇数番目の垂直ラインを黒データに置き換え、第２フィールドの読出画像データＦＩ２の偶数番目の垂直ラインを黒データに置き換えるようにしてもよい。
【００４７】
また、図３に示した駆動画像データの表す画像は、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【００４８】
図４は、駆動画像データ信号の生成動作について示すタイミングチャートである。フィールド信号ＦＩＥＬＤ（図４（ａ））、読出垂直同期信号ＶＳ（図４（ｂ））、読出水平同期信号ＨＳ（図４（ｃ））、および、読出クロックＤＣＫ（図４（ｄ））に同期して、読出画像データ信号ＲＶＤＳ（図４（ｅ））が駆動画像データ生成部５０に入力される。フィールド信号ＦＩＥＬＤがハイ（以下、「Ｈ」と記す）レベルである期間は、読出画像データ信号ＲＶＤＳに含まれている画像データが第１フィールドの読出画像データＦＩ１とされ、フィールド信号ＦＩＥＬＤがロウ（以下、「Ｌ」と記す）レベルである期間は、第２フィールドの読出画像データＦＩ２とされる。すなわち、各フレームの読出画像データ信号ＲＶＤＳとして、第１フィールドの読出画像データＦＩ１と第２フィールドの読出画像データＦＩ２とが読出垂直同期信号ＶＳに同期して交互に駆動画像データ生成部５０に入力される。図４には、（Ｎ−１）フレーム、Ｎフレーム、および（Ｎ＋１）フレーム（Ｎは２以上の整数）の各フレームにおける第１フィールドおよび第２フィールドの読出画像データＦＩ１（Ｎ−１），ＦＩ２（Ｎ−１）、ＦＩ１（Ｎ），ＦＩ２（Ｎ）、およびＦＩ１（Ｎ＋１），ＦＩ２（Ｎ＋１）が読出画像データ信号ＲＶＤＳとして駆動画像データ生成部５０に入力されている例が示されている。
【００４９】
第１フィールドの読出画像データ信号が入力されている期間（以下、「第１フィールド期間」と呼ぶ）では、読出水平同期信号ＨＳ（図４（ｃ１）の各周期において、読出水平同期信号ＨＳがＨレベルに変化する水平走査期間の先頭から、読出クロックＤＣＫ（図４（ｄ１））の周期ごとに、選択制御信号ＭＸＳ（図４（ｆ１））は、ＨレベルとＬレベルとに交互に変化する。具体的には、奇数番目の画素（Ｏｄｄ Ｐｉｘｅｌ）に対応するクロック周期ではＨレベルとなり、偶数番目の画素（Ｅｖｅｎ  Ｐｉｘｅｌ）に対応するクロック周期ではＬレベルとなる。これにより、図２のマルチプレクサ５５０は、駆動画像データ信号ＤＶＤＳ（図４（ｇ１））として、奇数番目の画素のクロック周期において読出画像データを出力し、偶数番目の画素のクロック周期において黒データを出力することができる。
【００５０】
一方、第２フィールドの読出画像データ信号が入力されている期間（以下、「第２フィールド期間」と呼ぶ）では、読出水平同期信号ＨＳ（図４（ｃ２）の各周期において、読出水平同期信号ＨＳがＨレベルに変化する水平走査期間の先頭から、読出クロックＤＣＫ（図４（ｄ２））の周期ごとに、選択制御信号ＭＸＳ（図４（ｆ２））は、ＬレベルとＨレベルとに交互に変化する。具体的には、奇数番目の画素（Ｏｄｄ Ｐｉｘｅｌ）に対応するクロック周期ではＬレベルとなり、偶数番目の画素（Ｅｖｅｎ  Ｐｉｘｅｌ）に対応するクロック周期ではＨレベルとなる。これにより、マルチプレクサ５５０は、駆動画像データ信号ＤＶＤＳ（図４（ｇ２））として、奇数番目の画素のクロック周期において黒データを出力し、偶数番目の画素のクロック周期において読出画像データを出力することができる。
【００５１】
Ａ３．実施例の効果：
以上説明したように、本実施例の駆動画像データ生成部５０では、第１フィールドの各水平ラインの画像データのうち、偶数番目の画素に対応する読出画像データが黒データに置き換えられ、第２フィールドの各水平ラインの画像データのうち奇数番目の画素に対応する読出画像データが黒データに置き換えられる。この結果、第１フィールドの画像データに対しては、奇数番目の垂直ラインに対応する読出画像データが黒データに置き換えられた第１の駆動画像データが生成される。また、第２フィールドの画像データに対しては、偶数番目の垂直ラインに対応する読出画像データが黒データに置き換えられた第２の駆動画像データが生成される。これにより、１つの垂直ラインについて着目すると、液晶パネルの各画素に対して黒データと読出画像データとがフィールド周期Ｔｆｉで交互に入力されることになるため、各画素では、読出画像データに対応する画像を表示する前に、一旦黒データの表す画像（黒画像）を表示することによって、その前に表示された画像の影響をキャンセルして、新たな画像データの表す画像を表示することができる。これにより、従来と同様に動画ボケを改善することができる。
【００５２】
特に、本実施例のように垂直ラインを形成する画素に対して、読出画像データを黒データに置き換える場合には、従来のように水平ラインを形成する画素に対して、読出画像データを黒データに置き換える場合に比べて、水平方向の移動を含む動画像に対する動画ボケの改善をより効果的に実施することができる。
【００５３】
Ａ４．駆動画像データ生成動作の変形例：
Ａ４．１．変形例１：
図５は、生成される駆動画像データの第１の変形例について示す説明図である。図３に示した第１実施例の場合と同様に、各フレーム画像データは、フレーム周期Ｔｆｒでフレームメモリ２０に格納される。図５（ａ）は、Ｎフレームのフレーム画像データＦＲ（Ｎ）と、（Ｎ＋１）フレームのフレーム画像データＦＲ（Ｎ＋１）が順にフレームメモリ２０に格納される場合を例に示している。
【００５４】
そして、図５（ｂ）に示すように、フレームメモリ２０に格納されているフレーム画像データが、フレーム周期Ｔｆｒの２倍速のフィールド周期Ｔｆｉで２回読み出されて、第１フィールドに対応する読出画像データＦＩ１および第２フィールドに対応する読出画像データＦＩ２として順に出力される。
【００５５】
そして、図５（ｃ）に示すように、変形例における駆動画像データ生成部では、第１フィールドの読出画像データＦＩ１に対しては、奇数番目の水平ライン（１，３，５，７，...：Ｏｄｄ  Ｈｌｉｎｅ）における偶数番目の垂直ラインを形成する画素（２，４，６，８，...：Ｅｖｅｎ  Ｐｉｘｅｌ）を黒データ（クロスハッチで示される領域）に置き換えるとともに、偶数番目の水平ライン（２，４，６，８，...：Ｅｖｅｎ  Ｈｌｉｎｅ）における奇数番目の垂直ラインを形成する画素（１，３，５，７，...：Ｏｄｄ  Ｐｉｘｅｌ）を黒データに置き換えた第１の駆動画像データが生成される。すなわち、チェッカフラグ状に黒データを有する駆動画像データが生成される。また、第２フィールドの読出画像データＦＩ２に対しては、奇数番目の水平ライン（１，３，５，７，...：Ｏｄｄ  Ｈｌｉｎｅ）における奇数番目の垂直ラインを形成する画素（１，３，５，７，...：Ｏｄｄ  Ｐｉｘｅｌ）を黒データに置き換えるとともに、偶数番目の水平ライン（２，４，６，８，...：Ｅｖｅｎ  Ｈｌｉｎｅ）における偶数番目の垂直ラインを形成する画素（２，４，６，８，...：Ｅｖｅｎ  Ｐｉｘｅｌ）を黒データに置き換えた第２の駆動画像データが生成される。すなわち、第１フィールドにおける読出画像データに対応する画素を黒データに置き換えた駆動画像データであって、チェッカフラグ状に黒データを有する第１と第２の駆動画像データが生成される。
【００５６】
なお、第１フィールドの読出画像データＦＩ１の奇数番目の水平ラインの奇数番目の画素および偶数番目の水平ラインの偶数番目の画素を黒データに置き換え、第２フィールドの読出画像データＦＩ２の奇数番目の水平ラインの偶数番目の画素および偶数番目の水平ラインの奇数番目の水平ラインを黒データに置き換えるようにしてもよい。
【００５７】
また、図５に示した画像データの表す画像も、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【００５８】
図６は、上記第１の変形例としての駆動画像データ信号の生成動作について示すタイミングチャートである。フィールド信号ＦＩＥＬＤ（図６（ａ））、読出垂直同期信号ＶＳ（図６（ｂ））、読出水平同期信号ＨＳ（図６（ｃ））、および、読出クロックＤＣＫ（図６（ｄ））に同期して、読出画像データ信号ＲＶＤＳ（図６（ｅ））が駆動画像データ生成部５０に入力される。フィールド信号ＦＩＥＬＤがＨレベルである期間は、読出画像データ信号ＲＶＤＳに含まれている画像データが第１フィールドの読出画像データＦＩ１とされ、フィールド信号ＦＩＥＬＤがＬレベルである期間は、第２フィールドの読出画像データＦＩ２とされる。すなわち、各フレームの読出画像データ信号ＲＶＤＳとして、第１フィールドの読出画像データＦＩ１と第２フィールドの読出画像データＦＩ２とが読出垂直同期信号ＶＳに同期して交互に変形例の駆動画像データ生成部に入力される。図６には、（Ｎ−１）フレーム、Ｎフレーム、および（Ｎ＋１）フレーム（Ｎは２以上の整数）の各フレームにおける第１フィールドおよび第２フィールドの読出画像データＦＩ１（Ｎ−１），ＦＩ２（Ｎ−１）、ＦＩ１（Ｎ），ＦＩ２（Ｎ）、およびＦＩ１（Ｎ＋１），ＦＩ２（Ｎ＋１）が読出画像データ信号ＲＶＤＳとして、変形例における駆動画像データ生成部に入力されている例が示されている。
【００５９】
第１フィールド期間では、読出水平同期信号ＨＳ（図６（ｃ１）の各周期において、読出水平同期信号ＨＳがＨレベルに変化する水平走査期間の先頭から、読出クロックＤＣＫ（図６（ｄ１））の周期ごとに、選択制御信号ＭＸＳ（図６（ｆ１―１），図６（ｆ１−２））は、ＨレベルとＬレベルとに交互に変化する。具体的には、奇数番目の水平ライン（Ｏｄｄ  Ｈｌｉｎｅ）に対応する水平走査期間では、選択制御信号ＭＸＳ（図６（ｆ１−１））は、奇数番目の画素（Ｏｄｄ Ｐｉｘｅｌ）に対応するクロック周期ではＨレベルとなり、偶数番目の画素（Ｅｖｅｎ  Ｐｉｘｅｌ）に対応するクロック周期ではＬレベルとなる。これにより、駆動画像データ信号ＤＶＤＳ（図６（ｇ１−１））として、奇数番目の画素のクロック周期において読出画像データを出力し、偶数番目の画素のクロック周期において黒データを出力する。また、偶数番目の水平ライン（Ｅｖｅｎ  Ｈｌｉｎｅ）に対応する水平走査期間では、選択制御信号ＭＸＳ（図６（ｆ１−２））は、奇数番目の画素（Ｏｄｄ Ｐｉｘｅｌ）に対応するクロック周期ではＬレベルとなり、偶数番目の画素（Ｅｖｅｎ  Ｐｉｘｅｌ）に対応するクロック周期ではＨレベルとなる。これにより、駆動画像データ信号ＤＶＤＳ（図６（ｇ１−２））として、奇数番目の画素のクロック周期において黒データを出力し、偶数番目の画素のクロック周期において読出画像データを出力する。
【００６０】
一方、第２フィールド期間では、読出水平同期信号ＨＳ（図６（ｃ２）の各周期において、読出水平同期信号ＨＳがＨレベルに変化する水平走査期間の先頭から、読出クロックＤＣＫ（図６（ｄ２））の周期ごとに、選択制御信号ＭＸＳ（図６（ｆ２―１），図６（ｆ２−２））は、ＬレベルとＨレベルとに交互に変化する。具体的には、奇数番目の水平ライン（Ｏｄｄ  Ｈｌｉｎｅ）に対応する水平走査期間では、選択制御信号ＭＸＳ（図６（ｆ２−１））は、奇数番目の画素（Ｏｄｄ Ｐｉｘｅｌ）に対応するクロック周期ではＬレベルとなり、偶数番目の画素（Ｅｖｅｎ  Ｐｉｘｅｌ）に対応するクロック周期ではＨレベルとなる。これにより、駆動画像データ信号ＤＶＤＳ（図６（ｇ２−１））として、奇数番目の画素のクロック周期において黒データを出力し、偶数番目の画素のクロック周期において読出画像データを出力する。また、偶数番目の水平ライン（Ｅｖｅｎ  Ｈｌｉｎｅ）に対応する水平走査期間では、選択制御信号ＭＸＳ（図６（ｆ２−２））は、奇数番目の画素（Ｏｄｄ Ｐｉｘｅｌ）に対応するクロック周期ではＨレベルとなり、偶数番目の画素（Ｅｖｅｎ  Ｐｉｘｅｌ）に対応するクロック周期ではＬレベルとなる。これにより、駆動画像データ信号ＤＶＤＳ（図６（ｇ２−２））として、奇数番目の画素のクロック周期において読出画像データを出力し、偶数番目の画素のクロック周期において黒データを出力する。
【００６１】
以上説明したように、本変形例の場合、第１フィールドの画像データに対しては奇数番目の水平ラインにおける偶数番目の垂直ラインを形成する画素および偶数番目の水平ラインにおける奇数番目の垂直ラインを形成する画素に対応する読出画像データが黒データに置き換えられ、第２フィールドの画像データに対しては奇数番目の水平ラインにおける奇数番目の垂直ラインを形成する画素および偶数番目の水平ラインにおける偶数番目の垂直ラインを形成する画素に対応する読出画像データが黒データに置き換えられる。これにより、ある画素について着目すると、液晶パネルに対して黒データと読出画像データとがフィールド周期で交互に入力されることになるため、各画素では、読出画像データに対応する画像を表示する前に、一旦黒データの表す画像（黒画像）を表示することによって、その前に表示された画像の影響をキャンセルして、新たな画像データの表す画像を表示することができる。これにより、従来と同様に動画ボケを改善することができる。
【００６２】
特に、本変形例のように、チェッカフラグ状に黒データを有する場合には、第１実施例のように垂直ラインに対して、読出画像データを黒データい置き換える場合において、水平方向の移動を含む動画像に対する動画ボケの改善効果と、従来のように垂直方向の移動を含む動画像に対する動画ボケの改善効果の両方を得ることが可能である。また、本変形例のようにチェッカフラグ状に黒データを有する場合には、従来例の水平ラインや第１実施例の垂直ラインと比較して、黒データが表示されるパターンが細かくなるため、網膜上に起こる残像現象を低減させることができ、動画ボケをより改善することができる。
【００６３】
Ａ４．２．変形例２：
図７は、生成される駆動画像データの第２の変形例について示す説明図である。図３に示した第１実施例の場合と同様に、各フレーム画像データは、フレーム周期Ｔｆｒでフレームメモリ２０に格納される。図７（ａ）は、Ｎフレームのフレーム画像データＦＲ（Ｎ）と、（Ｎ＋１）フレームのフレーム画像データＦＲ（Ｎ＋１）が順にフレームメモリ２０に格納される場合を例に示している。
【００６４】
そして、図７（ｂ）に示すように、フレームメモリ２０に格納されているフレーム画像データが、フレーム周期Ｔｆｒの２倍速のフィールド周期Ｔｆｉで２回読み出されて、第１フィールドに対応する読出画像データＦＩ１および第２フィールドに対応する読出画像データＦＩ２として順に出力される。
【００６５】
そして、図７（ｃ）に示すように、変形例における駆動画像データ生成部では、Ｎフレームにおける第１フィールドの読出画像データＦＩ１（Ｎ）に対しては、奇数番目の水平ライン（１，３，５，７，...）における（３ｌ＋１）番目（ｌは０以上の整数）の垂直ラインを形成する画素（１，４，７，１０，...）を黒データ（クロスハッチで示される領域）に置き換えるとともに、偶数番目の水平ライン（２，４，６，８，...）における（３ｌ＋２）番目の垂直ラインを形成する画素（２，５，８，１１，...）を黒データに置き換えた第１の駆動画像データが生成される。
【００６６】
また、第２フィールドの読出画像データＦＩ２（Ｎ）に対しては、奇数番目の水平ライン（１，３，５，７，...）における（３ｌ＋２）番目の垂直ラインを形成する画素（２，５，８，１１，...）を黒データに置き換えるとともに、偶数番目の水平ライン（２，４，６，８，...）における（３ｌ）番目の垂直ラインを形成する画素（３，６，９，１２，...）を黒データに置き換えた第２の駆動画像データが生成される。
【００６７】
さらに、（Ｎ＋１）フレームの第１フィールドの読出画像データＦＩ１（Ｎ＋１）に対しては、奇数番目の水平ライン（１，３，５，７，...）における（３ｌ）番目の垂直ラインを形成する画素（３，６，９，１２，...）を黒データに置き換えるとともに、偶数番目の水平ライン（２，４，６，８，...）の（３ｌ＋１）番目の垂直ラインを形成する画素（１，４，７，１０，...）を黒データに置き換えた第３の駆動画像データが生成される。
【００６８】
そして、（Ｎ＋１）フレームの第２フィールドの読出画像データＦＩ２（Ｎ＋１）に対しては、再び、奇数番目の水平ライン（１，３，５，７，...）における（３ｌ＋１）番目の垂直ラインを形成する画素（１，４，７，１０，...）を黒データに置き換えるとともに、偶数番目の水平ライン（２，４，６，８，...）における（３ｌ＋２）番目の垂直ラインを形成する画素（２，５，８，１１，...）を黒データに置き換えた第１の駆動画像データが生成される。
【００６９】
なお、第１ないし第３の駆動画像データの生成の順番は一例であって、特に限定されるものではく、第１、第３、第２や、第２、第１、第３等の種々の順番で生成されるようにしてもよい。
【００７０】
また、図７に示した画像データの表す画像も、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【００７１】
以上説明したように、本変形例の場合、各画素について着目すると、３フィールドに１フィールドの割合で、黒データが入力されることになる。これにより、黒データが入力された後の読出画像データの表す画像に対して、その前に表示されていた画像の影響を抑制することができるので、動画ボケを改善することができる。
【００７２】
特に、本変形例の場合、第１の変形例のようなチェッカフラグ状に黒データを有している場合に比べると動画ボケ改善の効果は減少するものの、第１実施例のように水平方向の移動を含む動画像に対する動画ボケの改善効果と、従来のように垂直方向の移動を含む動画像に対する動画ボケの改善効果の両方を得ることが可能である。
【００７３】
Ａ４．３．変形例３：
上記第１実施例の駆動画像データでは、１本の垂直ラインごとに読出画像データと黒データとが交互に配置される場合を例に示しているが、ｍ本（ｍは１以上の整数）の垂直ラインごとに、読出画像データと黒データとが交互に配置されるようにしてもよい。
【００７４】
また、変形例１の駆動画像データでは、１画素ごとに、水平方向および垂直方向に読出画像データと黒データとが交互に配置される場合を例に示しているが、水平方向にｐ画素（ｐは１以上の整数）で垂直方向にｑ画素（ｑは１以上の整数）のブロック単位で、水平方向および垂直方向に読出画像データと黒データとが交互に配置されるようにしてもよい。
【００７５】
さらに、また、変形例２の駆動画像データでは、水平ラインに並ぶ３個の画素につき１個の画素に黒データが配置されるとともに、１本の水平ラインごとに、黒データと読出画像データとが交互に配置される場合を例に示しているが、各水平ラインに並ぶｒ個（ｒは３以上の整数）の画素につき連続するｓ個（ｓはｒの約数）の画素に黒データが配置されるとともに、ｒ個の画素に対するｓ個の画素の位置はｔ本（ｔは１以上の整数）の水平ラインごとに交互にずれた位置とされるようにしてもよい。
【００７６】
Ａ４．４．変形例４：
図８は、生成される駆動画像データの第４の変形例について示す説明図である。図３に示した第１実施例の場合と同様に、図８（ａ）は、Ｎフレームのフレーム画像データＦＲ（Ｎ）と、（Ｎ＋１）フレームのフレーム画像データＦＲ（Ｎ＋１）が順にフレームメモリ２０に格納される場合を例に示し、図８（ｂ）は、Ｎフレームにおける第１フィールドの読出画像データＦＩ１（Ｎ）および第２フィールドの読出画像データＦＩ２（Ｎ）と、（Ｎ＋１）フレームにおける第１フィールドの読出画像データＦＩ１（Ｎ＋１）および第２フィールドの読出画像データＦＩ２（Ｎ＋１）が、フレームメモリ２０から順に読出されて出力される場合を例に示している。
【００７７】
液晶パネル１００を駆動する場合、液晶の劣化を防止するために、通常、液晶パネルの各画素に与える信号の極性を、垂直同期信号周期（フレーム周期あるいはフィールド周期）で反転する処理が実行される。図３に示す第１実施例の場合には、第１フィールド期間においては、偶数番目の垂直ラインに対して読出画像データが黒データに置き換えられ、第２フィールド期間においては、奇数番目の水平ラインに対して読出画像データが黒データに置き換えられる。このため、液晶パネルの各画素に与えられる黒データの信号の極性は常に同じ極性となり液晶駆動に好ましくない直流駆動となってしまう。
【００７８】
そこで、図８（ｃ）に示すように、Ｎフレームの駆動画像データとして、第１フィールドの読出画像データＦＩ１（Ｎ）に対応する駆動画像データと、第２フィールドの読出画像データＦＩ２（Ｎ）に対応する駆動画像データとを順に生成した後、次の（Ｎ＋１）フレームの駆動画像データとしては、まず、第２フィールドの読出画像データＦＩ２（Ｎ＋１）に対応する駆動画像データを生成し、次に、第１フィールドの読出画像データＦＩ１（Ｎ＋１）に対応する駆動画像データを生成するようにしてもよい。こうすれば、液晶パネルの対応する各画素に与えられる黒データの信号の極性を交互に反転させるようにすることにより液晶駆動に良い交流駆動が可能となる。
【００７９】
なお、本変形例は、図３に示した駆動画像データが生成される場合の変形例として説明したが、図５や図７に示した駆動画像データの場合においても同様に適用可能である。
【００８０】
Ａ４．５．変形例５：
図９は、生成される駆動画像データの第５の変形例について示す説明図である。
【００８１】
上記第１実施例および第１ないし第４の変形例では、フレームメモリ２０から１フレームの画像データをフレーム周期Ｔｆｒの間に２倍速のフィールド周期Ｔｆｉで２回読み出して、２つのフィールド画像データにより１つのフレーム画像データを表す場合を例に説明している。しかしながら、これに限定されるものではなく、図９に示すように、１フレームの画像データをフレーム周期の間で３回以上読み出すようにして、駆動画像データを生成するようにしてもよい。
【００８２】
図９（ｂ）は、フレームメモリ２０に格納されている画像データが、各フレーム周期の間に３倍速のフィールド周期で３回読み出されて順に出力される場合を例に示している。また、Ｎフレームのフレーム画像データＦＲ（Ｎ）に対してフレームメモリ２０から読み出された３つのフレーム画像データのうち、１番目および３番目の読出画像データが第１フィールドの読出画像データＦＩ１（Ｎ）とされ、２番目の画像データが第２フィールドの読出画像データＦＩ２（Ｎ）とされる。そして、図９（ｃ）に示すように、第１フィールドの読出画像データＦＩ１（Ｎ）に対しては、偶数番目の水平ラインの読出画像データを黒データ（クロスハッチで示される領域）に置き換えて第１フィールドの駆動画像データが生成される。また、第２フィールドの読出画像データＦＩ２（Ｎ）に対しては、奇数番目の水平ラインの読出画像データを黒データに置き換えて第２フィールドの駆動画像データが生成される。
【００８３】
また、図９（ｂ）に示すように、（Ｎ＋１）フレームのフレーム画像データＦＲ（Ｎ＋１）に対して読み出された３つの画像データのうち、１番目および３番目の画像データが第２フィールドの読出画像データＦＩ２（Ｎ＋１）とされ、２番目の画像データが第１フィールドの読出画像データＦＩ１（Ｎ＋１）とされる。そして、図９（ｃ）に示すように、第１フィールドの読出画像データＦＩ１（Ｎ＋１）に対しては、偶数番目の水平ラインの読出画像データを黒データに置き換えて第１フィールドの駆動画像データが生成される。また、第２フィールドの読出画像データＦＩ２（Ｎ＋１）に対しては、奇数番目の水平ラインの読出画像データを黒データに置き換えて第２フィールドの駆動画像データが生成される。
【００８４】
ここで、Ｎフレームのフレーム周期における１番目の読出画像データは第１フィールドの読出画像データＦＩ１（Ｎ）であり、２番目の読出画像データは第２フィールドの読出画像データＦＩ２（Ｎ）であるので、これら２つのフィールド画像データによりＮフレームのフレーム画像ＦＲ（Ｎ）が表されることになる。
【００８５】
また、（Ｎ＋１）フレームのフレーム周期における２番目の読出画像データは第１フィールドの読出画像データＦＩ１（Ｎ＋１）であり、３番目の読出画像データは第２フィールドの読出画像データＦＩ２（Ｎ）であるので、これら２つのフィールド画像データにより（Ｎ＋１）フレームのフレーム画像ＦＲ（Ｎ＋１）が表されることになる。
【００８６】
そして、Ｎフレームのフレーム周期における３番目の読出画像データは第１フィールドの読出画像データＦＩ１（Ｎ）であり、（Ｎ＋１）フレームのフレーム周期における１番目の読出画像データは第２フィールドの読出画像データＦＩ２（Ｎ＋１）であるので、これら２つのフィールド画像データにより、Ｎフレームと（Ｎ＋１）フレームの間を実効的に補間する１つのフレーム画像が表されることになる。この補間フレーム画像により、Ｎフレームから（Ｎ＋１）フレームに画像が急激に変化することによって発生する、画像変化の非連続性によるフリッカ等の種々の画質劣化を抑制することができる。
【００８７】
なお、本変形例は、図３に示した駆動画像データが生成される場合の変形例として説明したが、図５や図７に示した駆動画像データの場合においても同様に適用可能である。
【００８８】
Ｂ．第２実施例：
第２実施例としての画像表示システムは、以下で説明する駆動画像データの生成動作が異なる点を除いて第１実施例と同じであるので、画像表示システムの構成に関する説明を省略する。
【００８９】
図１０は、第２実施例において生成される駆動画像データについて示す説明図である。図３に示した第１実施例の場合と同様に、各フレーム画像データは、フレーム周期Ｔｆｒでフレームメモリ２０に格納される。図１０（ａ）は、Ｎフレーム（Ｎは１以上の整数）のフレーム画像データＦＲ（Ｎ）と、（Ｎ＋１）フレームのフレーム画像データＦＲ（Ｎ＋１）とが順にフレームメモリ２０に格納される場合を例に示している。
【００９０】
そして、図１０（ｂ）に示すように、フレームメモリ２０に格納されているフレーム画像データが、メモリ読出制御部により、フレーム周期Ｔｆｒと同じ長さの周期で順に読み出される。
【００９１】
そして、駆動画像データ生成部では、図１０（ｃ）に示すように、Ｎフレームの読出画像データＲＦＲ（Ｎ）に対して、偶数番目の垂直ライン（２，４，６，８，...）を形成する画素（２，４，６，８，...：Ｅｖｅｎ  Ｐｉｘｅｌ）を黒データ（クロスハッチで示される領域）に置き換えた第１の駆動画像データが生成される。（Ｎ＋１）フレームの読出画像データＲＦＲ（Ｎ）に対して、奇数番目の垂直ライン（１，３，５，７，...）を形成する画素（１，３，５，７，...：Ｏｄｄ  Ｐｉｘｅｌ）を黒データに置き換えた第２の駆動画像データが生成される。
【００９２】
なお、第Ｎフレームの読出画像データＲＦＲ（Ｎ）に対して、奇数番目の垂直ラインを黒データデータに置き換え、（Ｎ＋１）フレームの読出画像データＲＦＲ（Ｎ＋１）に対して、偶数番目の垂直ラインを黒データに置き換えるようにしてもよい。
【００９３】
また、図１０に示した駆動画像データの表す画像は、説明を容易にするために１フレームの画像を水平８ラインで垂直１０ラインの画像としているため、離散した画像に見えるが、実際の画像は、数百本以上の水平および垂直ラインを有しているので、人間の視覚の性質上ほとんど目立たない。
【００９４】
以上説明したように、本実施例では、Ｎフレームの読出画像データに対しては、奇数番目の垂直ラインに対応する読出画像データが黒データに置き換えられた第１の駆動画像データが生成される。また、（Ｎ＋１）フレームの読出画像データに対しては、偶数番目の垂直ラインに対応する読出画像データが黒データに置き換えられた第２の駆動画像データが生成される。これにより、１つの垂直ラインについて着目すると、液晶パネルの各画素に対して黒データと読出画像データとがフレーム周期Ｔｆｒで交互に入力されることになるため、各画素では、読出画像データに対応する画像を表示する前に、一旦黒データの表す画像（黒画像）を表示することによって、その前に表示された画像の影響をキャンセルして、新たな画像データの表す画像を表示することができる。これにより、本実施例においても、従来と同様に動画ボケを改善することができる。
【００９５】
特に、本実施例のように垂直ラインを形成する画素に対して、読出画像データを黒データに置き換える場合には、従来のように水平ラインを形成する画素に対して、読出画像データを黒データに置き換える場合に比べて、水平方向の移動を含む動画像に対する動画ボケの改善をより効果的に実施することができる。
【００９６】
ただし、第１実施例の場合には、駆動画像データの表す画像が表示されるレートが第２実施例の場合よりも高くなるので、フリッカの抑制には効果的である。
【００９７】
なお、本実施例においても、第１実施例において説明した駆動画像データの変形例のように、黒データを配置した種々の駆動画像データが生成されるようにすることも可能である。
【００９８】
Ｃ．変形例：
なお、この発明は上記の実施例や実施形態に限られるものではなく、その要旨を逸脱しない範囲において種々の態様において実施することが可能である。
【００９９】
例えば、上記実施例では、液晶パネルを適用したプロジェクタを例に説明しているが、プロジェクタではなく直視型の表示装置にも適用可能である。また、液晶パネルの他にＰＤＰ（Plasma Display Panel）やＥＬＤ（Electro Luminescence Display）等の種々の蓄積型表示装置を適用することも可能である。
【０１００】
また、上記各実施例では、駆動画像データを生成するための、メモリ書込制御部、メモリ読出制御部、駆動画像データ生成部、動き量検出部の各ブロックをハードウェアにより構築した場合を例に説明しているが、少なくとも一部のブロックをＣＰＵがコンピュータプログラムを読み出して実行することによって実現するように、ソフトウェアにより構築するようにしてもよい。
【図面の簡単な説明】
【０１０１】
【図１】この発明の第１実施例としての画像データ処理装置を適用した画像表示システムの構成を示すブロック図である。
【図２】駆動画像データ生成部５０の構成の一例を示す概略ブロック図である。
【図３】生成される駆動画像データについて示す説明図である。
【図４】駆動画像データ信号の生成動作について示すタイミングチャートである。
【図５】生成される駆動画像データの第１の変形例について示す説明図である。
【図６】第１の変形例としての駆動画像データ信号の生成動作について示すタイミングチャートである。
【図７】生成される駆動画像データの第２の変形例について示す説明図である。
【図８】生成される駆動画像データの第４の変形例について示す説明図である。
【図９】生成される駆動画像データの第５の変形例について示す説明図である。
【図１０】第２実施例において生成される駆動画像データについて示す説明図である。
【符号の説明】
【０１０２】
１０...信号変換部
２０...フレームメモリ
３０...メモリ書込制御部
４０...メモリ読出制御部
５０...駆動画像データ生成部
７０...液晶パネル駆動部
８０...ＣＰＵ
９０...メモリ
１００...液晶パネル
１１０...光源ユニット
５１０...駆動画像データ生成制御部
５２０...ラッチ部
５３０...黒データ生成部
５４０...ラッチ部
５５０...マルチプレクサ（ＭＰＸ）
ＤＰ１...画像表示システム
【図１】
2006126711.tif 000003
【図２】
2006126711.tif 000004
【図３】
2006126711.tif 000005
【図４】
2006126711.tif 000006
【図５】
2006126711.tif 000007
【図６】
2006126711.tif 000008
【図７】
2006126711.tif 000009
【図８】
2006126711.tif 000010
【図９】
2006126711.tif 000011
【図１０】
2006126711.tif 000012